(57)【要約】【課題】異なるプラグを接続でき、多種の用途を有する立挿式オーディオのコンセントのコネクタを有する。【解決手段】絶縁本体１、複数の端子２、インダクター３及びハウジング４で構成されている。絶縁本体１は、矩形部及び円形の接触部を有し、接触部は内部へ向かって挿接孔が設けられている。絶縁本体１の接触部の左右及び上端部はそれぞれ欠口が設けられ、すべての欠口は挿接孔に貫通している。絶縁本体１に第一空腔１１６、第二空腔１１７及び第三空腔１１８が設けられ、第三空腔１１８はインダクター３を設置するために提供されている。インダクター３は、光ファイバーのプラグの対接に提供され、複数の端子２は音声のプラグに提供される。したがって、音声のプラグが少なくとも二つの異なっているタイプのプラグの連接に提供されて使用される。【選択図】図１
0003126426.tif 000002
【実用新案登録請求の範囲】
【請求項１】
絶縁本体、複数の端子、インダクター及びハウジングで構成され、前記絶縁本体は矩形部及び矩形部の一端面に沿って突出した円形の接触部を有し、前記接触部は内部へ向かって挿接孔が設けられ、前記挿接孔は矩形部の内部の通路に貫通し、前記絶縁本体の接触部の左右及び上端部はそれぞれ欠口が設けられ、すべての欠口は挿接孔に貫通して、前記絶縁本体の後端は複数の端子が挿入された溝部及び滑溝が設けられ、前記絶縁本体に第一空腔、第二空腔及び第三空腔が設けられ、前記第三空腔はインダクターを設置するために提供され、前記インダクターは光ファイバーのプラグの接続に提供され、高周波信号の伝送を形成し、複数の端子は音声のプラグに提供され、導電して信号の連接を達成し、前記音声のプラグが少なくとも二つの異なっているタイプのプラグの連接に提供されて使用されることを特徴とする立挿式オーディオコンセントのコネクタ。
【請求項２】
前記絶縁本体は、上座体及び下蓋体が相互に嵌合して一体となって構成され、上座体の左右及び上端部に設けられた溝部及び接触部がそれぞれ対応する欠口と連接し、各端子が対接のプラグと接触可能であることを特徴とする請求項１に記載の立挿式オーディオコンセントのコネクタ。
【請求項３】
前記絶縁本体の第一空腔及び第二空腔は、それぞれ矩形部の内部の通路に相互に連通し、前記第一空腔及び第三空腔は封じ板で隔てられ、前記封じ板には通孔を有し、インダクターが光線の透射を可能であり、第三空腔の後端は開放式の空間であることを特徴とする請求項１に記載の立挿式オーディオコンセントのコネクタ。
【請求項４】
下蓋体は、基部と凸肋とを含み、前記凸肋は第三空腔と嵌合してインダクターに押し付けられることを特徴とする請求項２に記載の立挿式オーディオコンセントのコネクタ。
【考案の詳細な説明】
【技術分野】
【０００１】
本考案は、立挿式オーディオコンセントのコネクタを提供して、特に、異なるプラグの接続がそれぞれの必要によって信号伝送を連接するオーディオコンセントのコネクタである。
【背景技術】
【０００２】
音の効果を生じるオーディオコンセントは、視聴産業に既に広く使用されて、その主要な効果は、電子通信製品間の信号伝送を行うことを提供している。その基本結構は、早期の特許文献に開示されている。ここ数年来、各技術の途切れない革新に従って、各種の小さくて精巧な型の電子製品がしきりに発表されて、オーディオのコネクタがこれらの製品上の応用に重要であって、際立っていることがわかる。光ファイバーの通信技術の継続的な発展に従って、今、光ファイバーのコネクタの需要も絶えず増加して、よく見られる光ファイバーのコネクタも主にオーディオとビデオのインターフェースの中で使用されて、光ファイバーの伝送は高速の伝送であって、衰えるのが小さくて、信号の混線が小さいという優良品質の特徴を備えるため、すでに広範に各業界の中で応用されている。現在、使用されているオーディオのコンセントのコネクタは、横式で単一のコンセントのコネクタで、単一のプラグが挿し込まれてつながれることしかできず、多種の機能の組合を実現することができず、例えば、もしオーディオのコンセントと光ファイバーのコンセントを畳むなら、相対応する電子製品の体積を増加し、電子製品の軽薄で小さい発展の要求に役立たず、上述の多種で不利な要素に基づいて現行のオーディオのコネクタの機能に対して再び組み合わせて変革する必要がある。
【考案の開示】
【考案が解決しようとする課題】
【０００３】
本考案の目的は、立挿式オーディオコンセントのコネクタを提供して、特に、異なるプラグの接続に提供できて、異なっている信号伝送の需要を実現して、多種の用途のオーディオのコンセントのコネクタを有する。
本考案のもう一つの目的は、立挿式オーディオコンセントのコネクタを提供して、立挿式の結構は完全に遮る効果を有する。
【課題を解決するための手段】
【０００４】
本考案の目的を達成するために、下記の技術方案を採用して実現する。当該オーディオコンセントのコネクタは、絶縁本体、複数の端子、インダクター及びハウジングで構成されている。絶縁本体は、上座体及び下蓋体が相互にバクルして形成されて、当該上座体は矩形部であって、当該矩形部の縦方向の前端面には挿接接続のつなぎ用の円形の接触部を設けて、当該接触部には挿接孔を設けて、当該挿接孔は矩形部の内部の通路に貫通して、当該接触部の環状端面の左右対称及び環状端面の上端部の中間にはそれぞれ欠口を設けて、すべての欠口は前記挿接孔を貫通している。矩形部には、多数の端子が差し込まれる溝部及び内部空腔を設けて、内部空腔には第一空腔、第二空腔及び第三空腔を設けて、当該第一空腔及び第三空腔は封じ板で隔てられ、当該封じ板に錐形通孔を設けて、インダクターは第三空腔に設置されて、インダクターの導電端は現れて回路基板と挿接して、多数の端子は絶縁本体の上座体及び下蓋体の後端からおのおの対応する溝部及び滑溝に挿入されて固定されて、下蓋体及び上座体は定位円柱を通じて一体になって、音声のプラグが絶縁本体の挿接孔から第一空腔に挿入される時、音声のプラグは各端子としっかり接続して信号伝送を実現して、光ファイバーのプラグは、絶縁本体の挿接孔から第一空腔に挿入される時、第一空腔を通って更に錐形通孔を通過して、入って第三空腔のインダクターと接触して、インダクターは発光して光ファイバーに伝えて信号の高速伝送を形成して、接続使用を実現することで、コネクタを多種の使用機能を有するように昇格させる。
【０００５】
現在の技術と比べて、本考案の立挿式オーディオコンセントのコネクタは、下記の長所を有する。１．当該オーディオコンセントのコネクタは、少なくとも二つの異なっているタイプのプラグのコネクタによる電気通信を提供できて、電気コネクタの多機能の組合効果を実現できる。２．当該オーディオコンセントのコネクタは、完全なハウジングを有して、外来電磁の妨害を防止することができる。
【考案を実施するための最良の形態】
【０００６】
この技術を熟知する者に確かに本考案の構造特徴及び他の創作目的と効果を理解させるため、茲に具体的な実施例と添付した図面を合わせて、下記の如く詳細に説明する。
図１及び図７に示すように、本考案の一実施例による立挿式オーディオコンセントのコネクタ５０の結構は、立式形態であって、絶縁本体１、複数の端子２、インダクター３及びハウジング４で構成されている。現在、図１及び図２を合わせて、本実施例のコネクタの結構に対して具体的に説明して、当該絶縁本体１は上座体１１及び下蓋体１２で構成されて、当該上座体１１は矩形部１１０及び矩形部１１０の一端面に沿って突出した円形の接触部１１１を有して、当該接触部１１１の端面には内部へ凹入してオーディオプラグ５及び光ファイバーのプラグ６が挿入される挿接孔１１２を設けて、当該挿接孔１１２は矩形部内部の通路に貫通して、当該接触部１１１の環状端面の左右対称及び上端部にはそれぞれ挿接孔１１２に貫通する欠口１１３、欠口１１４、欠口１１５を設けて、当該欠口１１３、欠口１１４、欠口１１５は端子２０、端子２１、端子２２の接触部の収容部の使用に提供できる。当該矩形部１１０内には、第一空腔１１６、第二空腔１１７及び第三空腔１１８を設けて、当該第一空腔１１６及び第二空腔１１７はそれぞれ矩形部内部の通路に相互に連通して、当該第三空腔１１８の後端は開放式の空間であるため、インダクター３が便利にその中に設置されることができて、当該第一空腔１１６及び第三空腔１１８は封じ板１１９で隔てられ、当該封じ板１１９はプラグを挿入できる通孔１２０を有している。上座体には、複数の端子２が挿接する溝部１２１、溝部１２２、溝部１２３、溝部１２４、溝部１２５を設けて、その中、溝部１２１は端子２３が挿入されて第二空腔１１７と相互に連通して、溝部１２２は端子２４が挿入されて第一空腔１１６と相互に連通して、両側の溝部１２３と溝部１２４はそれぞれ端子２１、端子２２が挿入されて欠口１２３、欠口１２４と相互に連通して、溝部１２５は端子２０が挿入されて欠口１１５と相互に連通して、前記すべての溝部に端子が挿入された後、端子の導接部はすべて挿接孔１１２に貫通することで、端子が対接音声のプラグ５と導電して信号転送を実現することを保証して、上座体１１の底部表面の長度方向の両側にはそれぞれ下蓋体１２を固定するための定位柱１２６を設けている。下蓋体１２は基部１２７と凸肋１２８を含み、基部１２７の後端面は内部へ端子２５、端子２６が挿接する滑溝１２９、滑溝１３０まで伸び出して、凸肋１２８は第三空腔１１８と嵌合してインダクター３の導電端３１に押し付けられ、基部１２７の長度方向の両側には定位柱１２６と合わせる円形通孔３１を設けて、それによって、上座体１１及び下蓋体１２は一体となることができる。
【０００７】
複数の端子２は導電端子と非導電端子で構成されて、非導電端子である端子２４を除いて、他の端子は導電端子であって、その各端子はすべて条状結構態様であって、しかも端子２５は端子２６とスイッチ端子を構成して、プラグを挿接孔に挿入する時、端子２６の弾性の接触を利用して、端子２５を離れさせる。
【０００８】
本実施例による立挿式オーディオコンセントのコネクタ５０の組合は、いっそう簡単で、複数の端子２の各端子を各端子と対応する溝部に挿入して固定すれば、インダクター３を絶縁本体１の第三空腔１１８に設置させて、インダクター３の接触端３０は第三空腔１１８の最前端に嵌合して、インダクター３の導電端３１は第三空腔１１８に現れて回路基板と挿接する。その後、下蓋体１２を上座体１１に被せて、定位柱１２６を通じて通孔１３１と接合して、下蓋体１２をしっかり固定させることを達して、下蓋体１２の凸肋１２８は第三空腔１１８に嵌合してインダクター３の導電端３１に押し付けられ、インダクター３を更に安定して固定させる。そして、ハウジング４を絶縁本体１の後端から被せて、フック装置を通じて連結することを達して、すべてのオーディオコンセントのコネクタ５０の組立は、図３及び図４に示すように、組み立てたオーディオコンセントのコネクタ５０が回路基板に連接して図７に示すような電気導電を達成する。オーディオプラグ５がオーディオコンセントのコネクタ５０に挿入される時、端子２５を除いて、他の端子の接触部はすべてオーディオプラグ５と接触して連接して、その時、端子２５は端子２６とオフ端子を形成して、プラグ５が端子２６と接触する時、端子２５と端子２６は信号伝送を切って、また、端子２４はカロ基板の信号連接を接触せず、当該端子はただ全部プラグが挿入される時の軸向の抜ける力（図５を参照）を増加するだけである。光ファイバーのプラグ６が挿入される時、すべての導電端子が導電作用を失って、光ファイバーのプラグ６は第一空腔１１６を通って封じ板１１９の通孔１２０を通ってインダクター３と接触して、光線を通過して高周波信号を形成して信号連接（図６を参照）を実現する。
【０００９】
本考案に開示された結構の実施形態は、便利に本考案を説明するためのものであって、本考案の前記実施例にのみ限定するわけにはならない。本考案の明細書を介してこの技術を熟知するの方が本考案にかかる精神と範囲を離れず、少しの変更、修飾をすることは本発明の保護範囲に含まれる。
【図面の簡単な説明】
【００１０】
【図１】本考案の一実施例による立挿式オーディオコンセントのコネクタを示す分解斜視図である。
【図２】本考案の一実施例による立挿式オーディオコンセントのコネクタの絶縁本体を示す斜視図である。
【図３】本考案の一実施例による立挿式オーディオコンセントのコネクタを示す斜視図である。
【図４】本考案の一実施例による立挿式オーディオコンセントのコネクタを示す斜視図である。
【図５】本考案の一実施例による立挿式オーディオコンセントのコネクタの音声のプラグが挿入される状態を示す断面図である。
【図６】本考案の一実施例による立挿式オーディオコンセントのコネクタの光ファイバーのプラグが挿入される状態を示す断面図である。
【図７】本考案の一実施例による立挿式オーディオコンセントのコネクタの回路基板と連接する状態を示す平面図を示す。
【符号の説明】
【００１１】
１  絶縁本体、３  インダクター、４  ハウジング、５  プラグ、６  光ファイバーのプラグ、１１  上座体、１２  下蓋体、２０  端子、２１  端子、２２  端子、２３  端子、２４  端子、２５  端子、２６  端子、３０  接触端、３１  導電端、５０  オーディオコンセントのコネクタ、１１０  矩形部、１１１  円形の接触部、１１２  挿接孔、１１３  欠口、１１４  欠口、１１５  欠口、１１６  第一空腔、１１７  第二空腔、１１８  第三空腔、１１９  封じ板、１２０  通孔、１２１  溝部、１２２  溝部、１２３  溝部、１２４  溝部、１２５  溝部、１２６  定位孔、１２７  基部、１２８  凸肋、１２９  滑溝、１３０  滑溝、１３１  通孔
【図１】
0003126426.tif 000003
【図２】
0003126426.tif 000004
【図３】
0003126426.tif 000005
【図４】
0003126426.tif 000006
【図５】
0003126426.tif 000007
【図６】
0003126426.tif 000008
【図７】
0003126426.tif 000009